(57)【要約】【課題】  番組単位で記録されたコンテンツの再生が行える場合に、放送時間の延長で記録単位と記録内容とが一致しない状態でも、再生させたコンテンツが途中で途切れることなく再生できるようにする。【解決手段】  放送サービスで放送されるコンテンツの案内情報を取得し、その取得された案内情報に基づいて、放送時間が延長される可能性があるコンテンツについては、他のコンテンツの記録予約と重ならない範囲で記録時間を延長して記録の予約を行い、予約された記録コンテンツを再生する際に、放送時間が延長されて放送された可能性があるコンテンツの再生が終了すると、当該再生されたコンテンツにほぼ連続して記録された同一放送サービスの別のコンテンツの記録を探し出し、探し出された別のコンテンツを再生させるようにした。【選択図】      図６
2006109089.tif 000002
【特許請求の範囲】
【請求項１】
所定の放送サービスの放送信号を受信する受信手段と、
前記受信手段で受信した放送コンテンツのデータを記録し、その記録されたコンテンツのデータを再生する記録再生手段と、
前記放送サービスで放送されるコンテンツの案内情報を取得して記憶する案内情報取得手段と、
前記案内情報取得手段に記憶された案内情報に基づいて、放送コンテンツの前記記録再生手段での記録の予約を行い、前記案内情報で放送時間が延長される可能性があるコンテンツについては、他のコンテンツの記録予約と重ならない範囲で記録時間を延長して予約する記録制御手段と、
前記記録再生手段で記録されたコンテンツの再生を制御し、前記放送時間が延長されて放送された可能性があるコンテンツの再生が終了すると、当該再生されたコンテンツにほぼ連続して記録された同一放送サービスの別のコンテンツの記録を探し出し、探し出された前記別のコンテンツを再生させる再生制御手段とを備えたことを特徴とする
記録再生装置。
【請求項２】
請求項１記載の記録再生装置において、
前記再生制御手段は、前記放送時間が延長されて放送された可能性があるコンテンツの再生の終了で、再生の続行を問い合わせる表示をさせ、前記表示に基づいて再生の続行が指示された場合に、前記探し出された別のコンテンツを再生させることを特徴とする
記録再生装置。
【請求項３】
請求項１記載の記録再生装置において、
前記再生制御手段の制御による再生は、逆方向の再生であり、前記放送時間が延長されて放送された可能性があるコンテンツの逆方向の再生の終了で、当該逆方向に再生されたコンテンツの直前にほぼ連続して記録された同一放送サービスの別のコンテンツの記録を探し出し、探し出された前記別のコンテンツを逆方向に連続して再生させることを特徴とする
記録再生装置。
【請求項４】
所定の放送サービスの放送信号を受信して、その受信した放送コンテンツを記録し再生する記録再生方法において、
前記放送サービスで放送されるコンテンツの案内情報を取得し、
前記取得された案内情報に基づいて、放送時間が延長される可能性があるコンテンツについては、他のコンテンツの記録予約と重ならない範囲で記録時間を延長して記録の予約を行い、
前記予約された記録コンテンツを再生する際に、放送時間が延長されて放送された可能性があるコンテンツの再生が終了すると、当該再生されたコンテンツにほぼ連続して記録された同一放送サービスの別のコンテンツの記録を探し出し、探し出された前記別のコンテンツを再生させることを特徴とする
記録再生方法。
【請求項５】
請求項４記載の記録再生方法において、
前記別のコンテンツを再生させる際には、前記放送時間が延長されて放送された可能性があるコンテンツの再生の終了で、再生の続行を問い合わせる表示をさせ、前記表示に基づいて再生の続行が指示された場合に、前記探し出された別のコンテンツを再生させることを特徴とする
記録再生方法。
【請求項６】
請求項４記載の記録再生方法において、
前記予約された記録コンテンツの再生は、逆方向の再生であり、前記放送時間が延長されて放送された可能性があるコンテンツの逆方向の再生の終了で、当該逆方向に再生されたコンテンツの直前にほぼ連続して記録された同一放送サービスの別のコンテンツの記録を探し出し、探し出された前記別のコンテンツを逆方向に連続して再生させることを特徴とする
記録再生方法。
【請求項７】
所定の放送サービスの放送信号を受信して、その受信した放送コンテンツを記録し再生する記録再生の制御を行うプログラムにおいて、
前記放送サービスで放送されるコンテンツの案内情報を取得し、
前記取得された案内情報に基づいて、放送時間が延長される可能性があるコンテンツについては、他のコンテンツの記録予約と重ならない範囲で記録時間を延長して記録の予約を行い、
前記予約された記録コンテンツを再生する際に、放送時間が延長されて放送された可能性があるコンテンツの再生が終了すると、当該再生されたコンテンツにほぼ連続して記録された同一放送サービスの別のコンテンツの記録を探し出し、探し出された前記別のコンテンツを再生させる制御を行うことを特徴とする
プログラム。
【請求項８】
請求項７記載のプログラムにおいて、
前記別のコンテンツを再生させる制御を行う際には、前記放送時間が延長されて放送された可能性があるコンテンツの再生の終了で、再生の続行を問い合わせる表示をさせ、前記表示に基づいて再生の続行が指示された場合に、前記探し出された別のコンテンツを再生させる制御を行うことを特徴とする
プログラム。
【請求項９】
所定の放送サービスの放送信号を受信して、その受信した放送コンテンツを記録し再生する記録再生の制御を行うプログラムが格納された媒体において、
前記放送サービスで放送されるコンテンツの案内情報を取得し、
前記取得された案内情報に基づいて、放送時間が延長される可能性があるコンテンツについては、他のコンテンツの記録予約と重ならない範囲で記録時間を延長して記録の予約を行い、
前記予約された記録コンテンツを再生する際に、放送時間が延長されて放送された可能性があるコンテンツの再生が終了すると、当該再生されたコンテンツにほぼ連続して記録された同一放送サービスの別のコンテンツの記録を探し出し、探し出された前記別のコンテンツを再生させる制御を行うプログラムが格納されたことを特徴とする
媒体。
【請求項１０】
請求項９記載の媒体において、
前記プログラムで前記別のコンテンツを再生させる制御を行う際には、前記放送時間が延長されて放送された可能性があるコンテンツの再生の終了で、再生の続行を問い合わせる表示をさせ、前記表示に基づいて再生の続行が指示された場合に、前記探し出された別のコンテンツを再生させる制御を行うことを特徴とする
媒体。
【発明の詳細な説明】
【技術分野】
【０００１】
本発明は、例えば放送コンテンツをハードディスクなどの記録媒体に記録して再生する記録再生装置及び記録再生方法、並びに放送コンテンツを記録して再生する制御を行うプログラムと、そのプログラムが格納された媒体に関する。
【背景技術】
【０００２】
従来、テレビジョン放送を記録（録画）する機器として、ハードディスクを記録媒体として使用した、ハードディスク記録再生装置が実用化されている。このハードディスク記録再生装置の場合には、例えば数十Ｇバイトの記録容量で、数十時間のテレビジョン放送信号を記録することが可能である。記録可能な時間については、ハードディスクなどの記録媒体の記録密度の向上や、放送データの圧縮技術の向上に伴って、増大が想定される。
【０００３】
このハードディスク記録再生装置において、テレビジョン番組の録画を簡単に行えるようにするために、ＥＰＧ（Electric Program Guide）と称される電子番組案内データを受信するようにしたものがある。ＥＰＧデータは、デジタル衛星放送などの放送システムの場合には、放送データに付加されるようにしてあり、またアナログ放送である地上波の場合には、特定のチャンネルの映像信号のブランキング期間などに、特定の時間帯だけ付加して送るようにしてある。また、放送データの送信とは全く別に、インターネットなどの伝送手段を介してユーザ側の記録再生装置に配信するような形態もある。
【０００４】
このように送信されるＥＰＧデータを受信して、その受信したＥＰＧデータに基づいて、テレビジョン放送の番組表を受像機の画面に表示させて、その番組表の中から録画したい番組を選択する操作を行うことで、ユーザは比較的簡単に所望の番組の録画予約が行えるという効果を有する。ＥＰＧデータを使用した予約で放送番組を録画した場合には、その録画された番組を再生する場合にも、番組単位で録画内容が管理される。例えば、録画された番組のタイトルリストを表示させて、そのタイトルリストから、再生する番組を選択することが可能になる。
【０００５】
ところで、テレビジョン放送の番組は、番組の内容によって放送時間が延長されるものがある。例えば、野球やサッカーなどのスポーツゲームの中継の場合、試合時間の延長によって、放送時間も延長されることが多々ある。スポーツ中継番組で、放送時間が延長される可能性がある場合には、通常はＥＰＧデータでそのことが示されるようにしてある。従って、スポーツ中継番組だけを録画予約する場合には、その番組が録画される時間として、最も長く延長された場合の放送時間を録画するようにセットすれば、そのスポーツ中継番組が延長された場合にも対処できる。
【０００６】
特許文献１には、スポーツ中継番組などの録画予約を行う際の対処の一例についての記載がある。
【特許文献１】特開２００３−１３４４３１号公報
【発明の開示】
【発明が解決しようとする課題】
【０００７】
ところが、延長される可能性があるスポーツ番組の放送時間の後に、別の番組の録画予約がある場合には、その別の番組の録画予約が優先されるのが一般的であり、このような状況で放送時間が延長したスポーツ番組の録画については、番組の途中で終了してしまう。
【０００８】
また、放送時間が延長される可能性があるスポーツ番組の後に放送される番組についても、スポーツ番組の放送時間が延長した場合には、延長された分だけ開始時間と終了時間が繰り下がることになり、録画予約された録画時間の修正が必要になるが、他の録画予約との関係で、録画時間を延長することができない状況が多々ある。このように、スポーツ番組などの延長される可能性がある番組があると、その番組或いはその後に放送される番組の録画については、番組を完全には録画できていない可能性がある。
【０００９】
一方、ＥＰＧデータなどに基づいて録画予約された番組は、番組単位で再生が管理されるので、録画させた番組を再生させようとしても、上述した理由により番組の放送時間と録画時間とが一致していない可能性がある。従って、例えばタイトルリストから、ユーザ操作で再生する番組を選択して再生させたとしても、その番組の途中までしか再生されない可能性がある。
【００１０】
具体的には、例えば直前に放送されたスポーツ番組が３０分延長したために、その後の当日の放送番組の放送時間が３０分ずつ繰り下がったとする。この状況で、複数の番組の録画予約が連続していると、最後に録画される番組以外の録画番組については、録画終了時間を繰り下げることができないので、各々の番組録画状況としては、末尾の３０分は録画されていない状況になり、再生番組を指定しても、その番組の終了３０分前で再生が停止してしまう。
【００１１】
録画予約が連続した複数の番組で行われた場合には、ハードディスクなどの記録媒体には、番組の続きの部分も録画されている可能性が高いが、放送時間と録画時間がずれているために、どの番組タイトルを再生指定すれば、番組の続きの部分が再生できるのかユーザには容易には判断がつかない可能性が高い。特に、録画装置がユーザの視聴嗜好を分析して自動的に録画予約された番組を再生する場合には、続きの録画があるかどうかがユーザには簡単には判断できず、結局番組の続きの再生を諦めてしまう可能性が高かった。
【００１２】
本発明はかかる点に鑑みてなされたものであり、番組単位で記録されたコンテンツの再生が行える場合に、放送時間の延長で記録単位と記録内容とが一致しない状態でも、再生させたコンテンツが途中で途切れることなく再生できるようにすることを目的とする。
【課題を解決するための手段】
【００１３】
本発明は、所定の放送サービスの放送信号を受信して、その受信した放送コンテンツを記録し再生する場合において、放送サービスで放送されるコンテンツの案内情報を取得し、その取得された案内情報に基づいて、放送時間が延長される可能性があるコンテンツについては、他のコンテンツの記録予約と重ならない範囲で記録時間を延長して記録の予約を行い、予約された記録コンテンツを再生する際に、放送時間が延長されて放送された可能性があるコンテンツの再生が終了すると、当該再生されたコンテンツにほぼ連続して記録された同一放送サービスの別のコンテンツの記録を探し出し、探し出された別のコンテンツを再生させるようにしたものである。
【００１４】
このようにしたことで、コンテンツ単位で記録が行われるように設定されて、実際の放送時間が延長した場合であっても、続いて放送された箇所が記録されている限りは、その続いて放送された箇所も連続して再生され、放送時間がずれたコンテンツを最後まで再生できるようになる。
【発明の効果】
【００１５】
本発明によるとコンテンツ単位で記録が行われるように設定されて、実際の放送時間が延長した場合であっても、続いて放送された箇所が記録されている限りは、その続いて放送された箇所も連続して再生され、ユーザ操作で連続して記録された箇所を探す手間が必要なくなる。特に、自動的な録画などで、ユーザには連続した部分の録画があるか簡単には判断できないような状況の場合に、大きな効果を発揮する。
【００１６】
この場合、ほぼ連続録画された別のコンテンツを再生させる際には、放送時間が延長されて放送された可能性があるコンテンツの再生の終了で、再生の続行を問い合わせる表示をさせ、その表示に基づいて再生の続行が指示された場合に、探し出された別のコンテンツを再生させるようにしたことで、ユーザは再生の続行に承諾する操作を行うだけで連続した箇所の再生が行えるとともに、連続した箇所の再生が必要ない場合には、その再生続行に承諾する操作をしなければよいので、１単位の記録コンテンツの再生が終了した時点で再生を止めることも簡単にできる。
【００１７】
また、予約された記録コンテンツの再生は、逆方向の再生であり、放送時間が延長されて放送された可能性があるコンテンツの逆方向の再生の終了で、当該逆方向に再生されたコンテンツの直前にほぼ連続して記録された同一放送サービスの別のコンテンツの記録を探し出し、探し出された別のコンテンツを逆方向に連続して再生させることで、逆方向の早送り再生などを行う際にも、実際の記録内容が連続した２つの記録コンテンツに跨って逆方向に連続再生でき、逆方向の早送り再生などで再生箇所を探す際にも、ユーザは記録コンテンツの単位の違いを意識する必要がなくなる。
【発明を実施するための最良の形態】
【００１８】
以下、本発明の一実施の形態を、添付図面を参照して説明する。図１は、本実施の形態によるシステム構成例を示した図である。本例においては、テレビジョン放送を録画するハードディスク記録再生装置１００と、テレビジョン受像機２００を接続する構成としてある。ハードディスク記録再生装置１００は、テレビジョン放送番組を録画（記録）し再生するハードディスクが内蔵されたビデオ記録再生装置として構成してあり、このハードディスク記録再生装置１００には、放送サービスを受信するチューナとして、地上波のテレビジョン放送を受信するチューナと、ＢＳ放送（衛星放送）を受信するチューナが内蔵されて、例えば地上波用アンテナ９１と衛星放送波用パラボラアンテナ９２とが接続してある。パラボラアンテナ９２には、コンバータ９３が取り付けてあり、コンバータ９３で周波数変換された衛星放送波が供給される。テレビジョン受像機２００は、ハードディスク記録再生装置１００からの映像信号と音声信号を入力して、映像の表示と音声の出力ができる手段であれば、モニタ受像機などの他の表示装置を使用しても良い。音声信号については、表示装置とは別の音声出力装置に供給して、出力させても良い。
【００１９】
また、ハードディスク記録再生装置１００が出力する映像信号と音声信号は、ケーブル８１，８２を介してテレビジョン受像機２００に供給する。テレビジョン受像機２００では、ハードディスク記録再生装置１００に内蔵されたハードディスクに記録された映像の表示及び音声の出力が行える。なお、ハードディスク記録再生装置１００には、別体のチューナ装置などの映像信号源を接続して、その映像信号源から供給される映像信号及び音声信号を、ハードディスクに記録することもできる。
【００２０】
次に、ハードディスク記録再生装置１００の構成を、図２を参照して説明する。ハードディスク記録再生装置１００に接続された地上波用アンテナ９１は、装置１００に内蔵された地上波用チューナ１０１ａに接続してあり、チューナ１０１ａで受信して得た地上波のテレビジョン放送の映像信号及び音声信号を、切換スイッチ１１０の端子１１１に供給する。ハードディスク記録再生装置１００に接続されたパラボラアンテナ９２のコンバータ９３は、装置１００に内蔵された衛星放送波用チューナ１０１ｂに接続してあり、チューナ１０１ｂで受信して得た衛星放送波のテレビジョン放送の映像信号及び音声信号を、切換スイッチ１１０の端子１１２に供給する。
【００２１】
各チューナ１０１ａ，１０１ｂでの受信チャンネルについては、この記録再生装置１００のコントローラ１２１により制御される。チューナ１０１ａで受信する地上波は、アナログ放送波であるが、予め決められた特定のチャンネルについては、１日に数回、決められた時間に、映像信号のブランキング期間へのデータの重畳などで、電子番組表を表示させるためのＥＰＧデータを送るようにしてある。チューナ１０１ｂで受信する衛星放送波は、デジタル放送波であり、電子番組表を表示させるためのＥＰＧデータを、放送データに多重して随時送るようにしてある。
【００２２】
これらのＥＰＧデータは、そのＥＰＧデータが重畳されたチャンネルの案内だけでなく、その地域で受信可能なほとんどの放送局の地上波や衛星放送波のチャンネルについての番組を案内するデータとしてある。従って、チューナ１０１ａは、ＥＰＧデータが重畳（付加）されたチャンネルを、その重畳された時間に受信することで、そのチャンネルに重畳されたＥＰＧデータを抽出する、番組データ取得手段として機能し、チューナ１０１ｂは、受信中にいつでもＥＰＧデータを抽出できる、番組データ取得手段として機能する。チューナ１０１ａ及び１０１ｂで受信されたＥＰＧデータについては、コントローラ１２１に送るようにしてある。本例のコントローラ１２１は、供給されたＥＰＧデータの中から、必要な番組データだけを抽出する処理手段としての機能を備える。
【００２３】
切換スイッチ１１０は、チューナ１０１ａの受信信号と、チューナ１０１ｂの受信信号と、外部からの入力端子１３１，１３２に得られる信号とを切り換えるスイッチである。入力端子１３１，１３２は１組の入力部として使用される映像信号の入力端子及び音声信号の入力端子であり、これらの入力端子に得られる信号を、切換スイッチ１１０の端子１１３に供給する。これらの端子１１１，１１２，１１３に得られる映像信号，音声信号の内の、コントローラ１２１の制御で選択された信号が、端子１１４に得られる。なお、図２では、映像信号と音声信号の供給や切換えなどが同時に行われる場合には、両信号の伝送路を１本の伝送線で示してある。
【００２４】
切換スイッチ１１０で選択された映像信号と音声信号（端子１１４に得られる信号）は、ＭＰＥＧ（Moving Picture coding Experts Group ）エンコーダ１０２に供給して、例えばＭＰＥＧ２方式で圧縮符号化されたデジタル映像データとデジタル音声データとする。このエンコーダ１０２に供給される信号がアナログ信号の場合には、アナログ信号をデジタルデータ化するデジタル変換についても、エンコーダ１０２内（あるいは別体の回路）で行うようにしてある。なお、チューナ１０１ａ，１０１ｂがデジタル放送を受信するチューナで、既にＭＰＥＧ方式に符号化されたデータが受信される場合には、図２に破線で示すように、ＭＰＥＧエンコーダ１０２を通過しない経路１０２ａを経由して、後段の回路に送るようにする。但し、ＭＰＥＧ方式の映像データ及び音声データを受信した場合でも、符号化率などの変換が必要な場合には、デコードとエンコードを行うようにしてもよい。
【００２５】
ＭＰＥＧエンコーダ１０２で得られたＭＰＥＧ２方式の映像データ及び音声データは、記録再生処理部１０３に供給する。記録再生処理部１０３は、ハードディスク１０５に映像データや音声データなどを記録し再生するための処理を行う回路である。記録再生処理部１０３にはバッファメモリ１０４が接続してあり、このバッファメモリ１０４にデータを一時蓄積させながら、記録や再生を行うようにしてある。なお、ハードディスク１０５は、電子番組データの記憶手段（記録手段）としても使用するようにしてある。即ち、コントローラ１２１で処理された電子番組データを、コントローラ１２１の制御で、ハードディスク１０５に記録し再生するようにしてある。但し、この電子番組データについては、ハードディスク１０５を記憶手段として使用しないで、コントローラ１２１に接続されたメモリ（図示せず）を記憶手段として使用しても良い。ハードディスク１０５については、スピンドルモータにより高速回転させた状態で、ヘッドにより記録し再生する構成としてあり、例えば数十Ｇバイトの記録容量で、数十時間のテレビジョン放送信号を記録することが可能である。
【００２６】
ハードディスク１０５から再生されて、記録再生処理部１０３で処理された映像データ及び音声データについては、ＭＰＥＧデコーダ１０６に供給して、ＭＰＥＧ２方式からのデコードを行う。デコードされた映像データについては、混合器１０７を介してＮＴＳＣエンコーダ１０８に供給し、ＮＴＳＣ方式のアナログ映像信号として、出力端子１３５に供給する。デコードされた音声データについては、デジタル／アナログ変換器１０９でアナログ音声信号に変換し、そのアナログ音声信号を出力端子１３６に供給する。この出力端子１３５，１３６が、図１のケーブル８１，８２でテレビジョン受像機に接続される端子に相当する。
【００２７】
なお、ここまでの説明では、各チューナ１０１ａ，１０１ｂで受信して復調された映像データ及び音声データを、ＭＰＥＧエンコーダ１０２に供給してＭＰＥＧ方式に変調させて記録させるようにしたが、例えば各チューナ１０１ａ，１０１ｂがデジタル放送を受信するチューナで、受信した放送データがＭＰＥＧ方式などに変調されたデータである場合には、既に説明したように、受信データをＭＰＥＧエンコーダ１０２を経由しない経路１０２ａを通過させて、ＭＰＥＧエンコーダ１０２での変調をすることなく、受信データをそのまま記録媒体（ハードディスク１０５）に記録するようにしてもよい。
【００２８】
ハードディスク記録再生装置１００を操作する指令については、操作キーやリモートコントロール信号の受信部（受光部）で構成される入力部１２３から供給される構成としてある。例えば、図示しないリモートコントロール装置から赤外線信号で操作指令が入力部１２３に届くと、その受信した指令をコントローラ１２１に送る。リモートコントロール装置やキーの操作などによる指令としては、例えば直接的に録画，再生，チャンネル切換えなどを指示する指令の他に、このハードディスク記録再生装置１００に接続された受像機３００での表示を参照しながら、カーソルキーや確定キーなどの操作で多機能の操作を行う、いわゆるＧＵＩ（Graphical User Interface）操作の指令もある。
【００２９】
コントローラ１２１は、このＧＵＩ操作のための画面を生成させる処理を行った場合、その生成された画面のデータを混合器１０７に送り、ＭＰＥＧデコーダ１０６が出力する映像データに混合して、出力端子１３５から出力される映像信号が、対応した画面が表示される映像信号となるようにしてある。
【００３０】
このＧＵＩ操作のための画面以外でも、このハードディスク記録再生装置１００で各種表示を行う必要がある場合には、コントローラ１２１が同様にその表示画面のデータを生成させて、混合器１０７に送るようにしてある。これらの処理で表示される画面の例については、後述する。
【００３１】
またコントローラ１２１には、時計部１２４が接続してあり、時計部１２４で現在時刻（年月日，時分秒）をカウントした結果をコントローラ１２１で随時判断するようにしてある。この時計部１２４でカウントした日時をコントローラ１２１で判断して、予約された録画の実行などを行うようにしてある。時計部１２４でカウントする時刻については、ユーザ操作で設定や修正を行うようにしても良いが、チューナ１０１ａ又は１０１ｂで受信した信号に基づいて、時刻を自動修正するようにしても良い。
【００３２】
また本例のハードディスク記録再生装置１００は、メモリカードが着脱自在に装着可能なカードスロット１２５を備え、カードスロット１２５に装着されたメモリカード１２６に記憶されたデータを、コントローラ１２１が読み出して、各種処理が行えるようにしてある。例えば、装着されたメモリカード１２６に静止画像データや動画像データが記憶されている場合、その画像データをコントローラ１２１が読み出して混合器１０７側に送り、この記録再生装置１００に接続された受像機３００に表示させることができる。或いは、メモリカード１２６から読み出したデータを、ハードディスク１０５などに記録させても良い。
【００３３】
さらに本例のハードディスク記録再生装置１００は、インターネットに接続するためのポート１３８を備えて、そのインターネット接続用ポート１３８で接続された通信手段を介したデータのやり取りが、インターフェース１２７を介してコントローラ１２１で行えるようにしてある。
【００３４】
インターネット接続用ポート１３８については、例えばインターネット接続用のルータやモデムと、所定のケーブルを介して接続できるようにしてある。このインターネット接続用ポート１３８を介して所定のアドレスのサーバにアクセスして、電子番組データを取得することもできる。
【００３５】
コントローラ１２１は、種々の処理により電子番組データを取得した場合に、その電子番組データを、ハードディスク１０５の一部の領域に保存して、その保存されたデータを活用して電子番組表の表示処理や、録画予約処理を行うようにしてある。コントローラ１２１が取得される電子番組データとしては、内蔵されたチューナ１０１で受信した電子番組データと、接続されたＣＳチューナ装置２００からポート１３７を介して得られた電子番組データと、インターネットを介して取得した電子番組データの３種類があり、どの電子番組データを使用するかが予め設定で決められる。
【００３６】
なお、コントローラ１２１には、不揮発性メモリ（図示せず）が接続してあり、各種設定事項を記憶するようにしてある。また、録画予約の情報についても、この不揮発性メモリに記憶させる。但し、不揮発性メモリを設けないで、ハードディスク１０５の一部の記録領域を代わりに使用してもよい。
【００３７】
次に、このように構成されるハードディスク記録再生装置１００で、放送番組の録画予約が行われる処理について説明する。本例のハードディスク記録再生装置１００では、ＥＰＧのデータが取得されて電子番組表が形成されると、例えば図３（ａ）に示すような電子番組表の画像がテレビジョン受像機２００に表示される。すなわち図３（ａ）では、画面の右側の上部に日付と時刻が表示されると共に、任意の放送局（チャンネル）のその時刻以降の番組が表示される。
【００３８】
また、画面の左側には任意のコマーシャルメッセージと、現在選択されているチャンネルの受信信号の画像が表示されている。さらに画面の下部には、カーソルで選択されている番組の解説と、例えばリモートコントロール装置（図示せず）での操作のガイドが表示される。なお、番組の解説はＥＰＧのデータの一部である。
【００３９】
すなわち、例えば図示しないリモートコントロール装置に設けられる上下左右のカーソルキーを操作することにより、この画面上で左右の矢印の示されている放送局（チャンネル）と、上下の矢印の示されている番組の選択を行うことができる。そして決定キーの操作で所望の番組の選択が決定される。
【００４０】
さらに所望の番組の選択が決定されると、画面は図３（ｂ）に示すように変化される。この図３（ｂ）では、選択された所望の番組の欄から、いわゆる吹き出しによって「予約録画」「取り消し」「選局」「閉じる」の制御項目が表示される。そして上下のカーソルキー及び決定キーの操作で制御項目が決定される。
【００４１】
ここで、「予約録画」が決定されると、予約に関わる設定を行うための画像がテレビジョン受像機１００に表示される。なお、ここではユーザ操作により録画する番組を選ぶ処理について説明したが、ユーザの過去の視聴状況（或いは録画状況）などに基づいて、番組表の中から自動的に録画予約する処理を行うようにしてもよい。
【００４２】
ここで、録画予約された番組の放送時間が延長される可能性がある場合、又はそれより前の番組の延長で放送時間がずれる可能性がある場合には、放送時間の延長を考慮した番組録画予約が行われる。ここでは、スポーツ番組の１つとして、野球中継の放送番組の延長がある場合を例としてあり、ここでの延長を「野球延長」処理と称する。
【００４３】
図４のフローチャートは、その放送時間の延長がある場合の録画予約の処理例を示したものである。図４に従って処理を説明すると、処理がスタートされると、まず、システム内での検索が行われる。そしてステップＳ１１で検索及び予約設定の処理が実行され、ステップＳ１２で「野球延長」の処理が設定された番組が検索される。ここで番組の開始時刻：Ａ、終了時刻：Ｂ、放送局：Ｚが設定される。
【００４４】
次にステップＳ１３で、番組の開始時刻：Ａに対して「野球延長」の処理が可能な予約であるか否か判断される。すなわち、「野球延長」の処理が可能な番組は、開始時刻：Ａが７：００ＰＭ〜２８：５９の番組である。ここで２８：５９とは、一般的な番組表が切り替わる５：００ＡＭの１分前を示している。
【００４５】
また、ステップＳ１４で、電子番組表の中から該当の放送局：Ｚで、例えば７：００ＰＭ〜９：００ＰＭの番組に、「スポーツ：野球」に相当する番組があるか否か判断される。なお、相当する番組があるか否かは、ＥＰＧのデータに含まれる番組のジャンルやサブジャンルのコードによって判断される。
【００４６】
さらにステップＳ１５で、電子番組表を構成する文字列の中に、「延長」の単語が含まれているか否か判断される。そしてステップＳ１３〜Ｓ１５がいずれもイエス（Ｙｅｓ）のときは、ステップＳ１６で電子番組表を構成する文字列の中に、「時、分」を構成する文字が含まれているか否か判断される。
【００４７】
ここで「時」を構成する文字には、いわゆる外字が使われている場合があり、その場合には該当する外字を判別することにより判断が行われる。またその外字とそれに後続する数字列から、「時、分」を構成する文字と、その文字によって示される時刻を判別することができる。
【００４８】
そしてステップＳ１６で、「時、分」を構成する文字が判断されたとき（Ｙｅｓ）は、ステップＳ１７で、終了時刻の自動計算が行われる。すなわち、電子番組表を構成する文字列の中に、「延長」の単語が含まれている番組の終了時刻：Ｃと、上述の判断された時刻：Ｄとから、最大延長幅Ｙが
Ｙ＝Ｄ−Ｃ
として計算される。
【００４９】
さらに延長対応後の「野球延長」の処理が設定された番組の終了時刻Ｂ′が、
Ｂ′＝Ｂ＋Ｙ
として計算される。ただし、Ｂ′≧２９：００のときは、
Ｂ′＝２９：００
として計算される。
【００５０】
また、ステップＳ１６で、「時、分」を構成する文字が判断されなかったとき（Ｎｏ）は、ステップ〔８〕で、設定された番組の終了時刻Ｂ′が、
Ｂ′＝Ｂ＋３０分
として計算される。
【００５１】
さらにステップＳ１９で、計算された時刻によるスケジュールの登録が行われる。ただし、ここでのスケジュールの登録は、まだ仮の状態である。また、スケジュールの登録は、別途に設けられるスケジュール作成のサブルーチンＳ２０を用いて行われるが、ここでは省略する。
【００５２】
そしてステップＳ２１で、仮に登録されたスケジュールでの記録が可能であるか否か判断される。すなわち、仮に登録されたスケジュールが他の予約と重なる場合や、仮に登録されたスケジュールの記録が容量不足となる場合は、仮に登録されたスケジュールでの記録は行うことができないものである。
【００５３】
従って、ステップＳ２１の判断において、上述のステップＳ１９で仮に登録されたスケジュールでの記録が可能であるとき（Ｙｅｓ）は、ステップＳ２２で変更は有効とされる。そしてステップＳ２３で、変更されたスケジュールが本登録されて処理は終了される。
【００５４】
また、ステップＳ２１の判断において、仮に登録されたスケジュールでの記録ができないとき（Ｎｏ）は、ステップＳ２４で変更はキャンセルされて処理は終了される。なお、ステップＳ１３〜Ｓ１５のいずれかがノーのとき（Ｎｏ）も、ステップＳ１４で変更はキャンセルされて処理は終了される。
【００５５】
このようにして所望の番組より前の番組の放送時間が延長された場合に、その所望の番組の末尾が記録されない事態の発生する恐れを解消する録画予約ができる。
【００５６】
なお、複数の録画予約が重なった場合における、録画予約のスケジュールの登録処理例を示すと、例えば図５のフローチャートに示したようになる。即ち、上述した「野球延長」などで延長予約された番組があるか否か判断され（ステップＳ２１）、延長予約された番組がある場合には、同一チャンネルの連続した録画予約があるか否か判断される（ステップＳ２２）。そして、同一チャンネルの連続した録画予約がある場合には、連続して録画予約された番組の内の最後の番組を、決められた時間延長して録画するスケジュールを設定する（ステップＳ２３）。なお、延長される時間がＥＰＧデータなどから判断できる場合には、録画予約を延長する時間を個別に設定してもよい。
【００５７】
図６は、このような延長の可能性のある番組の録画状態の一例を示した図である。例えば、番組表では、あるチャンネルでの放送スケジュールとして、図６（ａ）に示すように、放送時間が７：００ＰＭ〜９：００ＰＭの番組Ｐ１と、放送時間が９：００ＰＭ〜１０：００ＰＭの番組Ｐ２と、放送時間が１０：００ＰＭ〜１１：００ＰＭの番組Ｐ３とがあるとする。ここで、番組Ｐ１についてはスポーツ中継番組であり、ＥＰＧデータなどに基づいて放送時間が３０分延長される可能性があることが、コントローラ１２１で判定されているとする。
【００５８】
図６（ｂ）は、番組Ｐ１が３０分延長された場合の、実際の番組放送状態の例を示したものである。この図６（ｂ）に示すように、番組Ｐ１の放送時間が３０分延長されて７：００ＰＭ〜９：３０ＰＭとなり、番組Ｐ２は３０分繰り下がった９：３０ＰＭ〜１０：３０ＰＭの放送時間となり、番組Ｐ３は３０分繰り下がった１０：３０ＰＭ〜１１：３０ＰＭの放送時間となる。
【００５９】
このような延長や繰り下げがあり得る番組の録画予約としては、以下のようになる。まず、番組Ｐ１だけを録画予約した場合には、図６（ｃ）に示すように、この番組Ｐ１の延長があっても録画可能なように、７：００ＰＭ〜９：３０ＰＭの時間帯の録画予約Ｒ１が行われる。そして、番組Ｐ１と番組Ｐ２を録画予約した場合には、図６（ｄ）に示すように、番組Ｐ１の録画予約Ｒ１′としては、７：００ＰＭ〜９：００ＰＭの時間帯の予約が行われ、番組Ｐ２の録画予約Ｒ２としては、９：００ＰＭ〜１０：３０ＰＭの時間帯の予約が行われ、後に放送される番組で延長に対処される。さらに、番組Ｐ１と番組Ｐ２と番組Ｐ３を録画予約した場合には、図６（ｅ）に示すように、番組Ｐ１の録画予約Ｒ１′としては、７：００ＰＭ〜９：００ＰＭの時間帯の予約が行われ、番組Ｐ２の録画予約Ｒ２′としては、９：００ＰＭ〜１０：００ＰＭの時間帯の予約が行われ、番組Ｐ３の録画予約Ｒ３としては、１０：００ＰＭ〜１１：３０ＰＭの時間帯の予約が行われ、最後に放送される番組で延長に対処される。なお、番組Ｐ２と番組Ｐ３の２つの番組だけが録画予約された場合も、図６（ｅ）のような録画予約Ｒ２′及びＲ３となる。
【００６０】
このようにして、本例の場合にはそれぞれの録画予約の開始時間は、番組表で決められた開始時間とした上で、可能な範囲で録画時間が延長される。各録画予約Ｒ１（Ｒ１′），Ｒ２（Ｒ２′），Ｒ３には、番組Ｐ１，Ｐ２，Ｐ３のタイトルなどが付けられて、それぞれ別の録画コンテンツとして管理される。なお、録画予約Ｒ１′及びＲ２′は、延長録画予約に失敗した状態（即ち延長があった場合には番組の途中までしか録画されない可能性がる状態）である。本例では、このような延長録画予約に失敗した番組については、そのことを録画コンテンツの付加データで示すようにしておく。例えば、番組データとして「延長録画に失敗の可能性あり」などと入れるようにする。この延長録画予約に失敗したことのデータは、記録させなくてもよい。
【００６１】
次に、このようにしてハードディスクに録画された番組を再生する際の処理を、図７のフローチャートを参照して説明する。録画番組を再生する際には、例えば記録再生装置１００に接続されたテレビジョン受像機２００に、録画番組のリストを表示させ、そのリストから再生番組をユーザ操作で選択する。記録再生装置１００のコントローラ１２１は、その選択操作があるか否か判断し（ステップＳ３１）、選択操作がある場合に、指示された番組タイトルが付与された録画コンテンツを、先頭から再生する（ステップＳ３２）。
【００６２】
そしてコントローラ１２１は、その再生を開始させた録画コンテンツの再生位置が、最後（末尾）になったか否か判断し（ステップＳ３３）、再生位置が最後になるまで再生を続行させる。なお、ユーザ操作で再生中に早送り、巻き戻し、停止などの操作ができることは勿論である。
【００６３】
ステップＳ３３で録画コンテンツの再生位置が最後になったと判断されると、そのとき再生させた録画コンテンツが、延長録画に失敗した可能性がある番組であるか否か判断する（ステップＳ３４）。延長録画に失敗した可能性がある番組であることは、例えば録画コンテンツの付加データなどから判断する。そして、延長録画に失敗した可能性がある番組でない場合にはそのときの番組の再生を終了させる（ステップＳ３５）。
【００６４】
ステップＳ３４で、延長録画に失敗した可能性がある番組であると判断した場合には、そのとき再生させた録画コンテンツが放送された放送サービスのチャンネルが続いて録画された録画コンテンツが、ハードディスクに記録されているか否か判断する（ステップＳ３６）。ここでの続いた録画とは、完全に連続した録画でなくても、例えば数分程度の比較的短い時間途切れたような状態でもよく、ほぼ連続した録画であればよい。
【００６５】
そして、ステップＳ３６の判断で、同じチャンネルが連続（或いはほぼ連続）して録画された録画コンテンツが検出された場合には、その検出された録画コンテンツを、（ステップＳ３３で再生が終了した録画コンテンツに続いて再生させる（ステップＳ３７）。
【００６６】
このように再生を行うことで、例えば図６（ｅ）に示すような録画予約Ｒ２′で録画されたコンテンツを再生させた場合、その録画コンテンツについては、番組Ｐ２の放送時間の延長（繰り下げ）で、番組Ｐ２の後半が録画されていない可能性があるが、続いて録画された録画予約Ｒ３によるコンテンツを探し出して連続して再生させることで、延長（繰り下げ）されて放送された番組Ｐ２を最後まで再生できるようになる。従って、放送時間の延長や繰り下げによって、録画コンテンツの録画時間と実際の放送時間とが一致しないことがあっても、続けて録画された番組を探す操作をユーザが行うことなく自動的に続きを視聴できる効果を有する。
【００６７】
なお、図７のフローチャートの例では、続けて録画された録画コンテンツが検出された場合に、自動的に続けて再生させるようにしたが、最初の録画コンテンツが末尾まで再生された時点で、続きを再生させるかどうか再生画面に表示させて、ユーザが続きの再生を承諾する操作を行った場合に、続きを再生させるようにしてもよい。図８のフローチャートは、この場合の処理例を示したものであり、ステップＳ３６で同じチャンネルが連続して録画されているか否か判断するまでの処理は、図７のフローチャートと同じであり、このステップＳ３６で同じチャンネルが連続して録画されている録画コンテンツが検出された場合には、続きの再生を問い合わせる画面を再生映像への重畳で表示させる（ステップＳ３８）。
【００６８】
図９は、その続きの再生を問い合わせる画面の一例を示したものである。この例では、「連続して録画された部分を再生しますか」との表示と、「ＹＥＳ」及び「ＮＯ」のボタン表示が行われる。
【００６９】
このような表示が行われた状態で、再生を継続させる操作があると、ステップＳ３７の続きの再生動作に移る。例えば、図９に示す表示が行われた状態で、「ＹＥＳ」と表示された箇所がリモートコントロール装置のカーソルキーなどの操作で選択されると、ハードディスク記録再生装置１００のコントローラ１２１は再生を継続させる操作があると判断し、連続して録画されたコンテンツを再生させる。その他の部分は、図７のフローチャートの処理と同様である。
【００７０】
このようにして、ユーザに確認しながら続きの再生を行うことで、放送番組の延長や繰り下げがなかった場合には、番組の終了位置で再生を終了させることもでき、実際にコンテンツをユーザが視聴しながら再生状態を良好に選択できることになる。
【００７１】
なお、図７や図８のフローチャートの処理は、録画コンテンツを順方向に再生させて、その続きを再生させる処理としたが、逆方向に再生させる場合（逆方向に早送りで再生いわゆる巻き戻し再生など）にも、同様の処理で直前にほぼ連続して同じチャンネルが録画されたコンテンツがある場合に、その連続して同じチャンネルが録画されたコンテンツを再生させるようにしてもよい。具体的には、例えば図６（ｅ）に示す録画予約Ｒ３で録画されたコンテンツを逆方向に再生させて、再生位置がそのコンテンツの先頭位置になった場合、録画予約Ｒ２′で録画されたコンテンツを連続して再生させればよい。この場合にも、図８のフローチャートに示すように、続きの再生を行うかを表示などでユーザに確認させてもよい。このように逆方向の再生時にも、続きを再生させることで、番組先頭などに再生位置を戻すことも容易にできる。
【００７２】
また、図６に示した録画予約処理では、それぞれの録画予約時間が最初から連続した場合について示したが、番組表で示された放送予定では、各番組が連続してなく、番組の延長を考慮した録画で、結果的に連続して録画されたような場合でも、同様に処理できる。例えば、図１０に示すように、番組表では、あるチャンネルでの放送スケジュールとして、図６（ａ）に示すように、放送時間が７：００ＰＭ〜８：５０ＰＭの番組Ｐ１と、放送時間が９：００ＰＭ〜９：５０ＰＭの番組Ｐ２と、放送時間が１０：００ＰＭ〜１１：００ＰＭの番組Ｐ３とがあるとする。番組Ｐ１についてはスポーツ中継番組であり、ＥＰＧデータなどに基づいて放送時間が３０分延長される可能性があることが示されているとする。
【００７３】
図１０（ｂ）は、番組Ｐ１が３０分延長された場合の、実際の番組放送状態の例を示したものである。この図１０（ｂ）に示すように、番組Ｐ１の放送時間が３０分延長されて７：００ＰＭ〜９：２０ＰＭとなり、番組Ｐ２は３０分繰り下がった９：３０ＰＭ〜１０：２０ＰＭの放送時間となり、番組Ｐ３は３０分繰り下がった１０：３０ＰＭ〜１１：３０ＰＭの放送時間となる。
【００７４】
このような場合の録画予約としては、以下のようになる。まず、番組Ｐ１だけを録画予約した場合には、図１０（ｃ）に示すように、この番組Ｐ１の延長があっても録画可能なように、７：００ＰＭ〜９：２０ＰＭの時間帯の録画予約Ｒ１が行われる。そして、番組Ｐ１と番組Ｐ２を録画予約した場合には、図１０（ｄ）に示すように、番組Ｐ１の録画予約Ｒ１′としては、７：００ＰＭ〜９：００ＰＭの時間帯の予約が行われ、番組Ｐ２の録画予約Ｒ２としては、９：００ＰＭ〜１０：３０ＰＭの時間帯の予約が行われ、番組Ｐ１については、番組Ｐ２が開始する直前まで延長録画されるとともに、後に放送される番組Ｐ２の録画時間が延長される。さらに、番組Ｐ１と番組Ｐ２と番組Ｐ３を録画予約した場合には、図１０（ｅ）に示すように、番組Ｐ１の録画予約Ｒ１′としては、７：００ＰＭ〜９：００ＰＭの時間帯の予約が行われ、番組Ｐ２の録画予約Ｒ２′としては、９：００ＰＭ〜１０：００ＰＭの時間帯の予約が行われ、番組Ｐ３の録画予約Ｒ３としては、１０：００ＰＭ〜１１：３０ＰＭの時間帯の予約が行われ、番組Ｐ１、Ｐ２については、その後の番組Ｐ２、Ｐ３が開始する直前まで延長録画されるとともに、最後に放送される番組で延長に対処される。
【００７５】
この図１０（ｄ）又は図１０（ｅ）に示すように各番組が録画された場合にも、図７又は図８のフローチャートに示すように再生制御を行うことで、放送時間が連続していない各番組を最後まで再生させることができる。
【００７６】
なお、上述した実施の形態では、ハードディスクを記録媒体として使用した記録再生装置に適用した例としたが、その他の各種記録（記憶）媒体を使用した記録再生装置に適用してもよい。
【００７７】
また、上述した実施の形態では、記録再生装置に内蔵されたチューナについても、アナログの地上波を受信するチューナと、ＢＳ放送を受信するチューナとしたが、例えばデジタル地上波を受信するチューナや、ＣＳ放送の受信を行うチューナなど、その他の放送サービスを受信する形態のチューナであってもよい。
【００７８】
また、上述した実施の形態では、記録再生装置に別体のテレビジョン受像機を接続する構成としたが、受像機内に本例のような処理構成の記録再生装置を内蔵させてもよい。
【００７９】
また、上述例のような専用のチューナや記録装置を用意するのではなく、例えば各種データ処理を行うパーソナルコンピュータ装置に、本例での記録再生装置に相当する大容量の記録（記憶）装置と、チューナに相当する受信処理を行うボードやカードなどを装着（接続）させた構成として、ＥＰＧデータの取得や放送データの記録処理及び再生処理の制御を行うソフトウェア（プログラム）を、パーソナルコンピュータ装置に実装させて、同様の録画処理（記録処理）を行うようにしてもよい。実装されるソフトウェアを、上述した実施の形態と同様の処理を行うように組めば、対処できる。ソフトウェアは、ＣＤ−ＲＯＭ，ＤＶＤ−ＲＯＭなどのディスクやメモリなどの各種媒体に格納して配付すればよい。或いは、インターネットなどの伝送媒体を介してソフトウェアを配付するようにしてもよい。
【図面の簡単な説明】
【００８０】
【図１】本発明の一実施の形態によるシステム構成例を示す説明図である。
【図２】本発明の一実施の形態によるハードディスク記録再生装置の構成例を示すブロック図である。
【図３】本発明の一実施の形態による表示例を示す説明図である。
【図４】本発明の一実施の形態による録画予約処理例を示すフローチャートである。
【図５】本発明の一実施の形態によるスケジュール登録時の処理例を示すフローチャートである。
【図６】本発明の一実施の形態による番組単位での録画例を示した説明図である。
【図７】本発明の一実施の形態による再生処理例（例１）を示したフローチャートである。
【図８】本発明の一実施の形態による再生処理例（例２）を示したフローチャートである。
【図９】本発明の一実施の形態による表示例を示す説明図である。
【図１０】本発明の一実施の形態による番組単位での録画例の変形例を示した説明図である。
【符号の説明】
【００８１】
８１〜８５…接続ケーブル、９１…地上波用アンテナ、９２…衛星用パラボラアンテナ、９３…コンバータ、１００…ハードディスク記録再生装置、１０１ａ…地上波用チューナ、１０１ｂ…衛星放送波用チューナ、１０２…ＭＰＥＧエンコーダ、１０２ａ…アナログ／デジタル変換器、１０３…記録再生処理部、１０４…バッファメモリ、１０５…ハードディスク、１０６…ＭＰＥＧデコーダ、１０７…混合器、１０８…ＮＴＳＣエンコーダ、１０９…デジタル／アナログ変換器、１１０…切換スイッチ、１２１…コントローラ、１２２…インターフェース、１２３…入力部、１２４…時計部、１２５…カードスロット、１２６…メモリカード、１２７…インターフェース、１３１，１３２，１３３，１３４…入力端子、１３５，１３６…出力端子、１３７…データ通信ポート、１３８…インターネット接続用ポート、２００…テレビジョン受像機
【図１】
2006109089.tif 000003
【図２】
2006109089.tif 000004
【図３】
2006109089.tif 000005
【図４】
2006109089.tif 000006
【図５】
2006109089.tif 000007
【図６】
2006109089.tif 000008
【図７】
2006109089.tif 000009
【図８】
2006109089.tif 000010
【図９】
2006109089.tif 000011
【図１０】
2006109089.tif 000012